(57)【特許請求の範囲】
【請求項１】
リアパネルと、前記リアパネルの前方に設置され、空気吸入口及び吐出口を持つフロントパネルとを備える空気調和機の室内機において、
前記フロントパネルの前面及び上面をカバーするよう前記フロントパネルに着脱自在に設置され、前記フロントパネルの前面及び上面に対応する多数の通気孔を持つグリルを含み、
前記グリルの上部両側には一対のヒンジ軸が各々外向き突設され、
前記ヒンジ軸と対応する位置の前記フロントパネルの上部両側には前記ヒンジ軸が摺動自在に結合され収まる一対のヒンジ軸収容部が前記フロントパネルの前方から後方に向けて形成され、
前記ヒンジ軸収容部は、
前記ヒンジ軸の摺動結合を案内する側部及び上部が開放された前方の案内溝部と、これより延びて前記ヒンジ軸を摺動可能かつ回動可能に収めて支持する収容溝部とからなり、
ヒンジ軸が前記収容溝部の一番奥に位置したときに、グリル下端に設けられた弾性フックがフロントパネルの下部に形成された係止爪に係止される
ことを特徴とする空気調和機の室内機。
【請求項２】
前記ヒンジ軸収容部は、
前記フロントパネルの前後方向の幅の少なくとも１／２以上になる長さを持つように形成されたことを特徴とする請求項１に記載の空気調和機の室内機。
【発明の詳細な説明】
【０００１】
【発明の属する技術分野】
本発明は空気調和機に係り、さらに詳しくはフロントパネルに対するグリルの着脱構造が改善された空気調和機の室内機に関する。
【０００２】
【従来の技術】
一般に、空気調和機の室内機は、リアパネル、フロントパネル及びグリルを備える。リアパネルには熱交換器と送風ファンが設けられ、別の固定手段により室内の壁面に固定される。フロントパネルはリアパネルの前方に結合され、室内の空気が吸入される吸入口と熱交換された空気が吐き出される吐出口が備わる。グリルはフロントパネルの前方に結合され、このグリルには室内空気の吸入のための多数の通気孔が形成される。
一方、前記グリルは、その掃除及びリアパネルに設けられた構成部品の補修と維持のため、フロントパネルについて着脱自在に結合されるところ、このようなグリル着脱構造の一例が日本国特開平７−２６０１９３号（公開日：１９９９年１０月１３日）に開示されている。
【０００３】
日本国特開平７−２６０１９３号に開示された従来のパネル取付け構造は、ケーシングに断面が概略凸状の円弧形状の第１アームが設けられる。前面パネルには第１アームの円弧形状に沿って回転自在に挿合される断面がコの字形状の円弧形状の凹部を有する第２アームが設けられる。そして、前記第１アームの凸部の前面パネル側の下方に所定の間隙を開けて円筒形状のガイド部が設けられる。前記第１アームの先端と第２アームの先端とを向き合わせて、第１アームの凸部を第２アームの凹部に嵌合して、前面パネルを回転させながらケーシングについて結合したり取り外す。
【０００４】
これによれば、ケーシングに形成された第１アームと前面パネルに形成された第２アームが互いに案内され、パネルの開閉をより円滑に行うことができると共に、第１アームと第２アームの円弧形における半径方向の係合強度が高くて、パネルを保持するに十分な強度を有するパネルの取付構造を実現できる。
【０００５】
また、円弧形状の凸部が設けられた第１アームまたは第２アームに、前記円弧形状の凸部と協同して円弧形状の凹部の側壁を案内するガイド部が設けられ、前記円弧形状の凹部の側壁の外周に、前記ガイド部との係合によって前記第１アームと第２アームの相対的な回転位置を所定の位置に保持する係合部が設けられたので、前記ガイド部と係合部が係合して、前面パネルを所定の位置に開いた状態で保持することができる。従って、補修維持時にパネルを完全に取り外さず必要な角度に開けたまま保持して作業を行える。
【０００６】
しかし、前記のように構成された従来の空気調和機のパネル取付構造は、前面パネルをケーシングから取り外したり結合させる時、ケーシングに形成されたガイド部と前面パネルの第２アームに形成された係合部が弾性接触するため、ガイド部及び係合部に無理な力が加わることにより、これら部品が破損しやすくなる問題があった。
【０００７】
また、従来の空気調和機のパネル取付構造は、ケーシング及び前面パネルに各々形成された互いに対応する構造の円弧形状の第１アーム及び第２アームと、ガイド部及び係合部を具備しなければならない等、その構造が複雑なので製作が難しいだけでなく、コストアップを招く問題もあった。
一方、従来の他の例として、日本国特開平９−１１２９５０号及び日本国特開平９−１１９６６７号に開示された空気調和機の吸入グリル着脱構造があるが、これらもやはり前述した日本国特開平７−２６０１９３号で提起された問題点をそのまま抱えているため、その改善が求められる。
【０００８】
【発明が解決しようとする課題】
本発明は前述した従来の諸問題を勘案して案出されたもので、フロントパネルに対するグリルの分解／組立が容易になるだけでなく、グリルの取り外し時それらの変形及び破損を防止できる空気調和機の室内機を提供するところにその目的がある。
本発明の他の目的は、簡単な構造のグリル着脱構造を持つことによって、製作が容易で製作コストを節減させられる空気調和機の室内機を提供するところにある。
【０００９】
【課題を解決するための手段】
前述した本発明の目的は、空気吸入口及び吐出口を持つフロントパネルと、前記フロントパネルの前面に着脱自在に結合されるグリルを備える空気調和機の室内機において、グリルの上部両側には一対のヒンジ軸が各々外向き突設され、該ヒンジ軸と対応する位置の前記フロントパネルの上部両側にはヒンジ軸が摺動自在に結合され収まる一対のヒンジ軸収容部がフロントパネルの前方から後方に向けて形成されたことを特徴とする空気調和機の室内機を提供することにより達成される。
【００１０】
ここで、前記ヒンジ軸収容部は、ヒンジ軸の摺動結合を案内する側部及び上部が開放された案内溝部と、これより延びてヒンジ軸を収まって支持する側部が開放された収容溝部とからなり、フロントパネルの前後方向の幅の少なくとも１／２以上の長さを持つように形成される。
本発明の望ましい実施形態によれば、グリルの下部両側には一対の弾性フックがフロントパネル側に向けて各々突設され、該弾性フックと対応するフロントパネルの下部両側には前記弾性フックが係着される一対の係止爪が各々形成される。
【００１１】
これによれば、グリルのヒンジ軸がフロントパネルのヒンジ軸収容部に摺動しながら装着され離脱されるため、グリルの分離時これらに無理な力が加わらない。また、別の付加的な構造を揃えなくてもグリルをフロントパネルに対して完全に取り外さず一定角度以上開放された状態に保持する機能を持つ。従って、従来に比べて同じ機能を持ちながらもその構造を単純化させることができるので、製作が容易でかつ製作費用を節減させることができる。
【００１２】
【発明の実施の形態】
以下、添付した図面に基づき本発明の望ましい実施形態をさらに詳しく説明する。
図１には本発明の一実施形態にとよる分離型空気調和機の室内機が示されている。
図１によれば、本発明の一実施形態にとよる空気調和機の室内機はリアパネル１０、フロントパネル５０及びグリル６０を備える。
【００１３】
前記リアパネル１０には熱交換器（図示せず）と送風ファン（図示せず）が設けられ、このリアパネル１０の前方にはフロントパネル５０が結合される。そして、前記リアパネル１０は通常別の固定手段により室内の壁面に固定される。
前記フロントパネル５０には上側部に室内の空気の吸入される空気吸入口５１が形成され、下側部には熱交換器により熱交換された空気が吐出される吐出口５２が形成される。
【００１４】
前記グリル６０は前記フロントパネル５０の前面に着脱自在に結合され、このグリル６０には室内空気の吸入のための多数の通気孔６０ａが形成される。
図２にはこのような本発明に係る空気調和機の室内機のフロントパネル５０とグリル６０の結合状態が示されている。
図２に示した通り、本発明に係る空気調和機のフロントパネル５０とグリル６０は、グリル６０の上部両側に外向き突設された一対のヒンジ軸６５とこれに対応する位置のフロントパネル５０に各々形成された一対のヒンジ軸収容部５５により互いに結合される。
【００１５】
前記ヒンジ軸収容部５５は、図３及び図４に示したように、フロントパネル５０の上部両側にその前後方向に沿って所定長さに形成される。このヒンジ軸収容部５５には前記ヒンジ軸６５が摺動結合され回転自在に収容される。
このようなヒンジ軸収容部５５はヒンジ軸６５の摺動結合を案内する側部及び上部が開放された前方の案内溝部５５ａと、この案内溝部５５ａから後方に延び、前記ヒンジ軸６５が収容され支持される側部が開放された収容溝部５５ｂとからなる。ヒンジ軸６５は前記案内溝部５５ａから摺動して後方の収容溝部５５ｂに収まり、この収容溝部５５ｂに収まったヒンジ軸６５は自由に回転できる。これにより、グリル６０はフロントパネル５０について回転開閉でき、また前記ヒンジ軸６５が前記ヒンジ軸収容部５５から抜け出ることによりフロントパネル５０から取り外せる。
【００１６】
ここで、前記ヒンジ軸収容部５５はフロントパネル５０の前後方向幅の少なくとも１／２以上になる長さを持つように形成され、この際、前述したようなヒンジ軸収容部５５はフロントパネル５０の後方に偏って形成される。そして、グリル６０のヒンジ軸６５はグリル６０がフロントパネル５０に結合された時、ヒンジ軸６５をヒンジ軸収容部５５の収容溝部５５ｂに完全に収容させるためにグリル６０の端部に形成される。このような構造によりグリル６０がフロントパネル５０に結合された時、自然に離脱されることは生じない。また、具体的に図示していないが、前記ヒンジ軸収容部５５は後方に行くほど下向傾いて形成されることもできる。
【００１７】
一方、図５に示したように、前記グリル６０の下部両側には一対の弾性フック６６がフロントパネル５０側に向けて各々突設され、これに対応するフロントパネル５０の下部両側には前記弾性フック６６が係着される一対の係止爪５６が各々形成される。前記弾性フック６６は‘Ｕ’の字形状に折り曲げられ形成され、端部には半円形状の係止突起６６ａが形成される。前記係止爪５６と係止突起６６ａの係止作用によりグリル６０はフロントパネル５０に係着される。この状態においてグリル６０をやや引っ張れば、弾性フック６６の係止突起６６ａが前記係止爪５６から抜け出ながらグリル６０のロッキング状態が解除され、この際グリル６０を上部に回転させながら開放したり、前方に引っ張ってフロントパネル５０から取り外せる。
【００１８】
また、本発明に係る空気調和機の室内機は、図６に示した通り、前記フロントパネル５０の空気吸入口５１を介して吸入される室内空気中に含まれているホコリ及び各種の異物をろ過するためのフィルター７０をさらに含むところ、このフィルター７０は前記グリル６０の内側面に着脱自在に結合される。このため、グリル６０の内側面には前記フィルター７０を着脱自在に固定する手段が備わる。
【００１９】
前記固定手段は前記グリル６０の内側面の両側に形成される摺動固定溝８１と、前記グリル６０の内側面の下側に一定間隔を開けて形成される複数のフック８２より構成される。フィルター７０はその先端の両側が前記摺動固定溝８１に挿入され支持され、その他端が前記複数のフック８２に支持されグリル６０の内側面に結合される。このようにフィルター７０がフロントパネル５０から分離可能なグリル６０に設けられているため、フィルターの掃除のためにフィルターを分離するにおいて、室内機の内部にフィルター７０についてあるホコリ及び異物が流入されない。
【００２０】
一方、本実施形態において前記フィルター７０は、フロントパネル５０の空気吸入口５１を両分するように形成されたガイドリブ５３を中心に二つに分離形成され、よって前記摺動固定溝８１はグリル６０の内側面の両側と前記ガイドリブ５３に対応するグリル６０の中央部に四つ形成される。
また、本発明に係る空気調和機の室内機は、前記フロントパネル５０の両側及び前記ガイドリブ５３を中心にした両側にガイド溝５４ａが備わった四つの支持部材５４が各々形成され、これに対応するグリル６０の内側面には前記ガイド溝５４ａに収まるガイド突起６４が各々形成される。この支持部材５４とガイド突起６４はフロントパネル５０に対するグリル６０の結合時、前記ガイド突起６４が前記ガイド溝５４ａに挿入されることによりグリル６０を安定的に支持する役割を果たす。
【００２１】
このように構成された本発明に係る空気調和機の室内機は、図７に示したように、フロントパネル５０に結合されているグリル６０（図面において実線で示した部分）の下部の両側を手で握ってやや引っ張れば、フロントパネル５０の係止爪５６に係止されているグリル６０の弾性フック６６の係止状態が解除される。この状態において、図面の一点鎖線で示した通り、グリル６０を上部に回転させながら前方に引っ張れば、グリル６０のヒンジ軸６５がフロントパネル５０のヒンジ軸収容部５５から摺動しつつ離脱され、グリル６０がフロントパネル５０から分離される。このようにグリル６０をフロントパネル５０から分離させた後、フロントパネル５０の内部に存する各種の構成部品の異常点検作業を行い、またグリル６０の内側面に結合されているフィルター７０を分離してフィルターの掃除などを行なう。
【００２２】
それから、掃除されたフィルター７０をグリル６０に装着し、グリル６０を上述した取外し過程の逆順にフロントパネル５０に係着する。この際、グリル６０のヒンジ軸６５をフロントパネル５０の両側ヒンジ軸収容部５５に合せて押込んだ状態にグリル６０を放せば、その自重によりグリル６０が下部に回転しつつフロントパネル５０に装着され、この過程でグリル６０の弾性フック６６がフロントパネル５０の係止爪５６に係止されロッキングされ結合される。ここで、グリル６０に形成された多数のガイド突起６４はフロントパネル５０に形成された支持部材５４のガイド溝５４ａに収容される。
【００２３】
一方、本発明に係る空気調和機の室内機は、前述したように、グリル６０をフロントパネル５０について完全に取り外せるだけでなく、図７において二点鎖線で示した通り、グリル６０をフロントパネル５０の上部に回転させ開放させることもできる。即ち、グリル６０をフロントパネル５０から完全に取り外さず、１８０゜角度に回転開放させた状態にフロントパネル５０の内部に存する各種の構成部品の異常点検作業などを行える。
【００２４】
【発明の効果】
以上述べた通り、本発明によれば、グリル６０をフロントパネル５０から引っ張ったり押込む簡単な方法により容易にグリル６０を分離／組立てられる。また、グリル６０のヒンジ軸６５がフロントパネル５０のヒンジ軸収容部５５に摺動しつつ装着され離脱されるため、グリル６０の分離／組立時グリル６０のヒンジ軸６５、フロントパネル５０のヒンジ軸収容部５５、またはグリル６０の弾性フック６６、フロントパネル５０の係止爪５６の何れの部分にも無理な力が加わらない。従って、これらの変形及び破損を防止できる。
【００２５】
また、本発明に係る空気調和機の室内機は、別の付加的な構造を揃えなくてもグリル６０をフロントパネル５０に対して完全に分離せず一定角度以上開放された状態に保たせる機能を持つ。従って、従来に比べて同じ機能を持ちながらもその構造を単純化させられるため、製作が容易で製作費用を節減させることができる。
以上では本発明の望ましい実施形態について図示かつ説明したが、本発明は前記実施形態に限らず、請求範囲で請求する本発明の要旨を逸脱せず当該発明の属する分野において通常の知識を持つ者ならば誰でも多様な変形実施が可能なことは勿論、そのような変形は請求範囲記載の範囲内にある。
【図面の簡単な説明】
【図１】本発明の一実施形態による空気調和機の室内機のグリル分離状態斜視図である。
【図２】本発明の一実施形態による空気調和機の室内機のフロントパネルとグリルの結合状態を示した要部切開断面図である。
【図３】本発明の一実施形態による空気調和機の室内機の要部拡大図であって、グリルのヒンジ軸とフロントパネルのヒンジ軸収容部が分離された状態を示した斜視図である。
【図４】図３の組立状態断面図である。
【図５】本発明の一実施形態による空気調和機の室内機の要部拡大図であって、グリルの弾性フックとフロントパネルの係止爪が分離された状態を示した斜視図である。
【図６】本発明の一実施形態による空気調和機の室内機に結合されるグリルの背面斜視図である。
【図７】本発明の一実施形態による空気調和機の室内機のフロントパネルからグリルを取り外す過程を説明するための図面である。
【符号の説明】
１０  リアパネル
５０  フロントパネル
５１  空気吸入口
５２  吐出口
５３  ガイドリブ
５４  支持部材
５５  ヒンジ軸収容部
５５ａ  案内溝部
５５ｂ  収容溝部
５６  係止爪
６０  グリル
６０ａ  通気孔
６４  ガイド突起
６５  ヒンジ軸
６６  弾性フック
６６ａ  係止突起
７０  フィルター
８１  摺動固定溝
【図１】
0003606784.tif 000002
【図２】
0003606784.tif 000003
【図３】
0003606784.tif 000004
【図４】
0003606784.tif 000005
【図５】
0003606784.tif 000006
【図６】
0003606784.tif 000007
【図７】
0003606784.tif 000008